(57)【特許請求の範囲】
【請求項１】
電気絶縁材料で成形され、上面が開口した内容器（１）の外側に、該内容器（１）の耐熱温度以下の温度に制御される発熱体（２）を設けるとともに、これらの内容器（１）及び発熱体（２）を電気絶縁材料で成形され、外郭を構成する外容器（３）で覆い、さらに脚温浴器の機体を移動させる車輪（１２）を備えた脚温浴器において、前記外容器（３）の外側に設けられた高さを調節できる移動用ハンドル（２５）と、前記車輪（１２）の動きを停止可能とするように設けられたストップレバー（１３）と、このストップレバー（１３）と連動して該ストップレバー（１３）の解除時に、電源を開路するスイッチ（１４）とを備えたことを特徴とする脚温浴器。
【発明の詳細な説明】
【０００１】
【発明の属する技術分野】
本発明は、湯を用いて脚を温める脚専用の温浴器の改良に関するものである。
【０００２】
【従来の技術】
従来の、この種の脚温浴器として実用化されているものは、上面が開口した内容器の外側にコード状ヒータなどの発熱体を設け、これらの内容器及び発熱体を電気絶縁材料で成形され、外郭を構成する外容器で覆い、さらに発熱体の出力を調整する制御体と、安全装置としての温度過昇防止装置及び発熱体の発熱量を設定する湯温設定手段等を備えたものである。（特開平７−１００１８０号公報参照）
このものの使用方法は、図６に示すように、使用時に内容器１に適当な温度（３８〜４５℃）に温めた湯を適量注ぎ、それに浴用薬剤を溶かし、椅子３２等に腰掛けた姿勢で、その中に両脚を浸し、適当な時間保持することによって湯のエネルギーと浴用薬剤の作用で脚の皮膚を通して人体を加温し、血液の流れにより、全身に湯の熱や薬剤の作用を伝えて血行を良くし、疲労回復、健康の維持増進を図るものである。
【０００３】
【発明が解決しようとしている課題】
上記従来の脚温浴器は、使用に際して内容器１に水を入れる場合、バケツなどでお湯や水を運び入れるか、或いは水やお湯の出るところへ器体を持っていき、水道の蛇口か温水の給水口から直接注水する必要があった。
【０００４】
しかし前者の場合、女性や高齢者にとって器体にバケツなどで規定の水や湯を１０リットルも入れる作業は大変であった。
【０００５】
また、後者の場合には、給水所から使用する場所まで器体を持ち上げて運ぶ必要があり、規定の水１０リットルを入れたときの全体重量は１５Ｋｇにもなり、女性や高齢者にとっては重く苦痛であった。
【０００６】
また排水時においても、同様にお湯が入った状態では１５Ｋｇになり、重い器体を持ち上げて風呂場などへ運搬する必要があり、非常に重く苦痛であった。
【０００７】
また排水ホースの先端に止水コック等の水出口開閉手段がないため、先端を高い位置に固定しておいても水がこぼれる事があった。
【０００８】
さらに、器体を手で引っ張って移動させるときにはハンドル付が便利であるが、脚温浴中はハンドルが高いと邪魔になることがあり、逆にハンドルが低いと移動時に扱いづらいものであり、実際にハンドルを取り付けたものはなかった。
【０００９】
また器体を水の入った状態で排水場所まで移動させる時には、内容器内の水が揺れて外蓋の隙間からこぼれることがあった。
【００１０】
さらに、図７に示すように、外容器３の外側底面に移動用の車輪３３を取付けたものもあるが、（実開昭６１−７１１２３号公報）脚温浴中に車輪３３が動き出すと脚温浴者は転倒して怪我をするなどの危険性があった。
【００１１】
【課題を解決するための手段】
そこで本発明は、脚温浴器の使用者が重量物の運搬に苦労せずに、また十分安全に脚温浴ができるようにした脚温浴器を提供するものであり、その具体的手段として、電気絶縁材料で成形され、上面が開口した内容器の外側に、該内容器の耐熱温度以下の温度に制御される発熱体を設けるとともに、これらの内容器及び発熱体を電気絶縁材料で成形され、外郭を構成する外容器で覆い、さらに脚温浴器の機体を移動させる車輪を備えた脚温浴器において、前記外容器の外側に設けられた高さを調節できる移動用ハンドルと、前記車輪の動きを停止可能とするように設けられたストップレバーと、このストップレバーと連動して該ストップレバーの解除時に、電源を開路するスイッチとを備えたものである。
【００１２】
【発明の実施の形態】
本発明の請求項１では、電気絶縁材料で成形され、上面が開口した内容器の外側に、該内容器の耐熱温度以下の温度に制御される発熱体を設けるとともに、これらの内容器及び発熱体を電気絶縁材料で成形され、外郭を構成する外容器で覆い、さらに脚温浴器を移動させる車輪を備えた脚温浴器において、前記外容器の外側に設けられた高さを調節できる移動用ハンドルと、前記車輪の動きを停止可能とするように設けられたストップレバーと、このストップレバーと連動して該ストップレバーの解除時に、電源を開路するスイッチとを備えたものである。
【００１６】
【実施例】
以下本発明の一実施例を図面によって説明する。
【００１７】
図において、１は上面が開口した内容器で、耐熱温度が１２０℃程度の樹脂等の電気絶縁材料により略方形に成形され、外側の側壁及び底面に、該内容器１の耐熱温度以下の温度に制御される発熱体２を設けている。
【００１８】
３は外郭を構成する外容器で、電気絶縁材料により成形され、前記内容器１及び発熱体２の外側を覆っている。
【００１９】
４は制御体で、発熱体２の出力をサーミスタの抵抗変化を利用して湯温を３８℃〜４５℃程度に保つように制御している。５は湯温の設定手段で、使用者が湯の温度を適当にセットするためのものである。６は温度ヒューズ等の温度過昇防止手段で、内容器１の外側下部或いは底面に取り付けられており、制御体４が故障した際の安全装置として発熱体２の過熱を防止する。７は内容器１の上面を覆う外蓋で、耐熱性の樹脂で成形されている。
【００２０】
８は排水口で、内容器１の前側の底部に設けられている。９は排水口８に接続された可撓性の排水ホースで、この排水ホース９は外容器３を貫通して外部に導出しており、その先端には止水コックなどの水出口開閉手段１０が設けられている。またこの可撓性の排水ホース９は、排水時には図１に示すように水出口開閉手段１０側を下に垂して内容器１内の水を排水可能とし、脚温浴時は図２に示すように、その先端を外容器３の上部外壁に設けた保持部１１に取外し自在に引っ掛けて保持されている。
【００２１】
１２は外容器３の外側底部の四角に取り付けた車輪である。この車輪１２には図４に示すように、ストップレバー１３が取り付けられており、脚温浴時にはこのストップレバー１３により車輪１２の動きを停止するようになっている。
【００２２】
この車輪１２の停止機構は、車輪取付ベース１８、前記ストップレバー１３、切換機構バネ２１、レバー支点２４、停止ツメ１９、軸ドラム２０等により構成されている。
【００２３】
さらに、ストップレバー１３と連動して、該ストップレバー１３の解除時に電源を開路するスイッチ１４を設けている。
【００２４】
尚１５はストップレバー１３の動きに連動させるための伝達バーで、この伝達バー１５が押し下げられることによってスイッチ１４の伝達ピン１６が接点回路を開放し、端子１７が開路するものである。
【００２５】
２５は外容器３の後側に設けたハンドルで、スライド式又は折りたたみ式等の方式により、その高さが外容器３の上面より上と下に伸縮するようになっている。
【００２６】
スライド式では図５に示すように内パイプ２６、外パイプ２７よりなり、各パイプ２６、２７の相対する位置にあけられた穴に金属球２９をバネ２８により押圧することで、それぞれ所定の位置に停止するようになっている。
【００２７】
３０は外蓋７の内容器１と嵌合する部分に設けた弾性のある水溢れ防止用のパッキンである。
【００２８】
本発明は以上の構成よりなり、その使用方法は、外蓋７を取り外し、あらかじめ適当な温度に調整した湯を内容器１内に入れ、そののち外蓋７を取り付けて電源を接続し、設定手段５を好みの温度にセットする。これによって発熱体２に通電が開始され、制御体４が通電動作を制御するまで発熱を続け、設定された温度に達すると通電を停止する操作を繰り返して、湯の温度を一定に保つ。
【００２９】
使用者は外蓋７を取り外して湯の中に浴用薬剤３１を規定量投入し、椅子３２に腰掛けて内容器１内の湯に足を入れ、適当な時間保持することによって湯のエネルギーと浴用薬剤３１の作用で脚の皮膚を通して人体を加温し、血液の流れにより、全身に湯の熱や薬剤３１の作用を伝えて血行を良くし、疲労回復、健康の維持増進を図るものである。
【００３０】
上記本発明において、外容器３の外側底部の四角に車輪１２を設け、また後側にその高さを上下に調節できるハンドル２５を設置してあるため、お湯を注水するときにはハンドル２５を上に伸ばして給湯場所近くまで移動させ、給湯口から直接内容器１に給湯することができる。
【００３１】
またこの移動時、器体が動いても外蓋７と内容器１の間にパッキン３０を設けてあるので、水がこぼれる等の不具合がない。
【００３２】
また使い終わって排水するときは、前記と逆に浴室などへ器体を移動させ、排水ホース９を外容器３の保持部１１から取外し、図１に示すように下に垂して水出口開閉手段１０を開け、内容器１内の水を排水する。
【００３３】
一方、脚温浴時は、ハンドル２５を下に下げれば邪魔にならず、また排水ホース９の水出口開閉手段１０を止水側にしておくことによって、誤って水が流れる等の心配がない。
【００３４】
また車輪６にストップレバー１３を設けてあるため、このストップレバー１３を停止側へ切換えることにより車輪１２の動きが完全に停止し、誤って動き出す危険性がない。
【００３５】
またこのストップレバー１３と電源を開路するスイッチ１４を連動させてあるので、ストップレバー１３を解除して器体を移動させるときは、電源が必ず停止し、電気的安全性が確保される。
【００３６】
【発明の効果】
以上説明したように、本発明によれば、脚温浴器に車輪とハンドルを設置したので、お湯を注水するときには脚温浴器を給湯場所近くまで移動させ、給湯口から直接給湯することができ、重いものを持ち上げて運搬する必要がなくなる。
【００３７】
また、車輪にストップレバーを設けたことにより、脚温浴時はストップレバーを停止側へ切換えると車輪の動きが完全に停止するため、誤って動き出す危険性がなくなる。
【００３８】
また、脚温浴器を使い終わって排水するときには、浴室などへ器体をスムーズに移動させ、ホースから直接排水するため、高齢者や女性でも楽に排水等の後かたずけができる。
【００３９】
また、ハンドルの高さを調節できるようにしているため、移動時にはハンドルを上に伸ばし、楽な姿勢で移動でき、脚温浴時にはハンドルを縮めることによって邪魔になることがない。
【００４２】
さらにまた、ストップレバーと電源開路手段を連動させたことにより、ストップレバーを解除して器体を移動させるときは、電源が必ず停止し、電気的安全性が確保される。
【図面の簡単な説明】
【図１】本発明の一実施例を示す脚温浴器の縦断面図である。
【図２】同脚温浴器の外観斜視図である。
【図３】同脚温浴器の一部拡大縦断面図である。
【図４】同脚温浴器車輪部の拡大構造図である。
【図５】同脚温浴器ハンドル伸縮部の構造図である。
【図６】従来の一般的な脚温浴器の使用状態図である。
【図７】従来の他の例の脚温浴器の使用状態図である。
【符号の説明】
１  内容器
２  発熱体
３  外容器
７  外蓋
９  排水ホース
１０  水出口開閉手段
１１  保持部
１２  車輪
１３  ストツプレバー
１４  スイッチ
２５  ハンドル
【図１】
0003641563.tif 000002
【図２】
0003641563.tif 000003
【図３】
0003641563.tif 000004
【図４】
0003641563.tif 000005
【図５】
0003641563.tif 000006
【図６】
0003641563.tif 000007
【図７】
0003641563.tif 000008